【事件の表示】
　上記当事者間の登録第４１１３６１６号商標の商標登録無効審判事件について、次のとおり審決する。
【結　論】
　登録第４１１３６１６号の登録を無効とする。
　審判費用は被請求人の負担とする。
【理　由】
１　本件商標
　本件登録第４１１３６１６号商標（以下、「本件商標」という。）は、「スポーツセッション」の片仮名文字と「ＳＰＯＲＴＳ　ＳＥＳＳＩＯＮ」の欧文字を上下二段に書してなり、第２５類「被服，ガーター，靴下止め，ズボンつり，バンド，ベルト，履物，運動用特殊衣服，運動用特殊靴」を指定商品として平成８年８月２０日登録出願、同１０年２月１３日に設定登録されたものである。　　　　　
　
２　請求人の引用商標
　請求人の引用する登録第２７１２７２８号商標は、第２１類「装身具、ボタン類、かばん類、袋物、宝玉及びその模造品、造花、化粧用具」を指定商品として、平成２年１月３１日登録出願、同８年３月２９日に設定登録されたものである。同じく、登録第２７１４５１４号商標は、第１７類「被服（運動用特殊被服を除く。）布製身回品（他の類に属するものを除く。）寝具類（寝台を除く。）」を指定商品として、平成２年１月３１日登録出願、同８年６月２８日に設定登録されたものである。同じく、登録第３３０８６５９号商標は、第２８類「スノーボード，スノーボードケース，サーフボード，サポーター，スケートボード，その他の運動用具」を指定商品として、平成６年１２月２１日登録出願、同９年５月２３日に設定登録されたものである。同じく、登録第３３１３９７９号商標は、第２５類「スキー用衣服，スノーボード用衣服，その他の運動用特殊衣服，スキー靴，スノーボード用靴，その他の運動用特殊靴」を指定商品として、平成６年１０月６日登録出願、同９年５月３０日に設定登録されたものである。しかして、前記した引用各商標の構成は、いずれも「ＳＥＳＳＩＯＮＳ」の欧文字と「セッションズ」の片仮名文字とを上下二段に書してなるものである。（以下、総称して、「引用商標」という。）
　
３　請求人の主張
　請求人は、結論同旨の審決を求め、その理由を次のように述べ、証拠方法として甲第一号証ないし甲第一三号証（枝番を含む。）を提出した（以下、「甲第一号証ないし甲第一三号証」は、「甲第１号証ないし甲第１３号証」と読み替える。）。　
（１）外国における「ＳＥＳＳＩＯＮＳ」の周知著名性について　
　請求人は、１９８４年にアメリカ合衆国で最初のスノーボード専門店であるセッションズ社を設立し、同社を通じて「ＳＥＳＳＩＯＮＳ」商標の下にスノーボードやスノーボードウェアなどのスノーボード関連商品を販売してきた者である。
　甲第１号証の１として提出する１９９４年４月１７日付「Ｓａｎ　Ｊｏｓｅ　Ｍｅｒｃｕｒｙ　Ｎｅｗｓ」でも、請求人のスノーボードウェア関連の事業は３桁の成長を遂げており、「ＳＥＳＳＩＯＮＳ」の商品は人々の生活様式の一部となる程であって、これに伴い請求人の年収も数百万ドルに到達している旨が掲載されている。甲第１号証の２（１９９５年１２月２７日付「Ｓｃｏｔｔｓ　Ｖａｌｌｅｙ　ＢＡＮＮＥＲ」）では、セッションズ社及びその姉妹店は、スポーツウェア、Ｔシャツ、帽子、靴、サングラス、ＣＤ、カセット、ビデオなどの商品を世界中で取り扱っている旨が記事として掲載されている。また、甲第１号証の３は有名企業のプロフィールを紹介した「Ｓｎｏｗｂｏａｒｄｉｎｇ　ｂｕｓｉｎｅｓｓ」の１９９７年１０月号の写しであるが、小さな小売店舗からスタートして彼の「ＳＥＳＳＨＯＮＳ」ビジネスが如何にして多面的なビジネスにまで発展したかが掲載されている。この他、請求人又は請求人の「ＳＥＳＳＩＯＮＳ」ビジネスに関する記事は、１９９６年３月６日付「Ｔｈｅ　ＳＣＥＮＥ」及び１９９７年３月５日付「Ｔｈｅ　ＳＣＥＮＥ」（甲第１号証の４及び５）にも掲載されているが、請求人及びセッションズ社自身も積極的に新聞雑誌に宣伝広告を行ってきた。
　甲第２号証は、各雑誌に掲載されたセッションズ社の「ＳＥＳＳＩＯＮＳ」商標の宣伝広告の写しであって、「Ｔｈｒａｓｈｅｒ」１９８７年２月号及び４月号の広告文写し、「Ｔｒａｎｓｗｏｒｌｄ　Ｓｎｏｗｂｏａｒｄｉｎｇ」１９９３年１０月号、１１月号及び１２月号の写しである。因みに、「Ｔｒａｎｓｗｏｒｌｄ　Ｓｎｏｗｂｏａｒｄｉｎｇ」はスノーボード雑誌としては世界第１位であって、毎月２６８０００部が刷られている。また「Ｔｈｒａｓｈｅｒ」は、スケートボード関係では世界的な名声を得ている雑誌であって、毎月１０００００部以上が全世界で頒布されている。
　以上の資料からも請求人のセッションズ社がスノーボード関連商品を始めとする各種商品に使用している「ＳＥＳＳＩＯＮＳ」商標が、セッションズ社のビジネス展開と共に世界中に知れ渡っていることは明白であるが、更に甲第３号証の１ないし２５として英国において頒布されている雑誌に掲載された「ＳＥＳＳＩＯＮＳ」商品の写しを提出する。
（２）我が国における「ＳＥＳＳＩＯＮＳ」の周知性について
　我が国では、セッションズ社を通じて１９９０年１月以来株式会社サングロウにスノーボードウエアの独占販売権を与えて全国の約３００の小売店に対して卸売りをし、近年のスノーボードの流行の下に順調に販売量を増やしている。
　因みに１９９５年度の「ＳＥＳＳＩＯＮＳ」商品の売上高は１０億円近くにものぼり、１９９６年には１２億円近くにのぼっている（甲第５号証）。
　実際、セッションズ社のスノーボードウェアはスノーボード関連雑誌に特集が組まれ、セッションズ社の所有者である請求人のインタビューが掲載される（甲第６号証）等、請求人の「ＳＥＳＳＩＯＮＳ」ブランドはスノーボーダーの間では確固たる地位を築いている。現にスノーボードウェアに関するアンケートでは、「ＳＥＳＳＩＯＮＳ」商標はトップブランドとして認知され（甲第７号証）、スノーボードウェアとしてのスノーボーダー間での人気は、２００を越えるブランド中断然トップとなっている（甲第８号証）。その他甲第９号証の１ないし４に示すとおり、各種の雑誌に「ＳＥＳＳＩＯＮＳ」商標に係る商品の宣伝広告がなされてきた。
　上記の雑誌には、スノーボード専門誌のみならず、「ｆｉｎｅ」、「ａｓａｙａｎ」等の一般的流行誌が含まれている。したがって、「ＳＥＳＳＩＯＮＳ」の周知著名性は、スノーボーダーのみならず一般の若者の間にも浸透していることは明白である。
（３）本件商標と「ＳＥＳＳＩＯＮＳ」について
　本件商標と引用商標とを比較するに、まず、本件商標は「スポーツセッション」の仮名文字と「ＳＰＯＲＴＳ　ＳＥＳＳＩＯＮ」の欧文字を二段に書してなるものである。その構成中「スポーツ」及び「ＳＰＯＲＴＳ」の文字は、「運動」を意味する語として一般に認識されており、ファッションの分野でも運動に適した商品であることを表示するために頻繁に用いられている。
　したがって、本件商標を構成する「スポーツ」及び「ＳＰＯＲＴＳ」の文字は、自他商品の識別標識としての機能を果たすものとみることは出来ず、本件商標の自他商品の識別標識として機能を果たす部分は「セッション」及び「ＳＥＳＳＩＯＮ」の文字部分となる。
　「スポーツ」又は「ＳＰＯＲＴＳ」の文字部分が商標として機能しないことは数々の審決例で認定されていることであり、甲第１２号証の１ないし５として提出する審決公報写しは審決例の一部である。
　殊に本件商標の欧文字部分は「ＳＰＯＲＴＳ」と「ＳＥＳＳＩＯＮ」の文字部分の間にスペースをおいて両文字部分を分離しているのだから、殊更「ＳＥＳＳＩＯＮ」の文字部分のみが分離して認識されやすい。したがって、本件商標からは「スポーツセッション」の一連の称呼の他に、単に「セッション」という称呼を生じることは明白である。
　そこで本件商標より生ずる「セッション」の称呼と引用商標より生ずる「セッションズ」の称呼とを比較するに、両者は僅かに語尾における「ズ」音の有無の差異を有するに過ぎない。この「ズ」音は元来強く発音される音ではない上に、軽く発音されがちで称呼識別上印象の薄い語尾に位置しているため、この「ズ」音の有無は微差に過ぎず、称呼全体に及ぼす影響は極めて少ない。
　したがって、本件商標から生ずる「セッション」の称呼は引用商標より生ずる「セッションズ」の称呼とほぼ同一と言えるほどに、彼此相紛らわしいものであるから、両商標は称呼において類似する商標である。
　また、前述のとおり請求人の「ＳＥＳＳＩＯＮＳ」商標が周知著名であるが故に、本件商標「スポーツセッション／ＳＰＯＲＴＳ　ＳＥＳＳＩＯＮ」を使用した商品に接する一般需要者は、請求人がスノーボード関連商品に拘らず一般的なスポーティー感覚の商品ラインの製造販売を開始したものと誤認することになる。
　このことからも、本件商標は、請求人の業務に係る商品と混同を生ずるおそれがある商標であることは明瞭である。
　本件商標権者にしてもスポーツウェア関係に従事する者である以上、当然に請求人の「ＳＥＳＳＩＯＮＳ」商標の周知著名性は了知するはずであるところ、それにも拘わらず「ＳＥＳＳＩＯＮＳ」商標と相紛らわしい本件商標を採択したのは、請求人商標との混同に乗じて不当な利益を得んとする不正の目的によるものに他ならない。
　以上より、本件商標は請求人の引用する商標「ＳＥＳＳＩＯＮＳ」に類似し、その出所について混同を生じさせるものであるから、本件商標は商標法第４条第１項第１１号、同第１５号及び同第１９号に該当するものである。
　
３　これに対し、被請求人は、何ら答弁していない。
　
４　当審の判断　　　　　　　　　　　　　　　　　　　
　請求人の提出に係る外国において発行された雑誌、新聞記事等の掲載記事、宣伝広告の事実、売上高に徴すれば、請求人の引用商標「ＳＥＳＳＩＯＮＳ」は、アメリカ、イギリス等諸外国において、スノーボード関連商品に使用し著名であることが窺える（甲第１号証ないし甲第４号証）。
　さらに、我が国においても、スノーボードカタログ雑誌「ＴＨＲＩＬＬ　ＪＵＮＣＴＩＯＮ（モノ・マガジン特別編集　平成７年８月５日発行）」に、「ＳＥＳＳＩＯＮＳ」、「セッションズ」の創設者でありオーナーである「ジョエル・ゴメス」の記事が掲載されていること（甲第６号証）、雑誌、「ＨＯＴ‐ＤＯＧ　ＰＲＥＳＳ（平成８年１月２５日発行）」及び「スノーボード（ｓｋｉｅｒ別冊平成８年３月号）」にスノーボードの人気ウェア・ブランドとして「セッションズ」が人気第一位として記載されていること（甲第７号証及び甲第８号証）、その他、各種雑誌に宣伝広告し掲載されていることが認められる（甲第９号証の１ないし４）。
　以上の事情を総合勘案してみれば、請求人の引用商標はスノーボードウェア等に使用され、本件商標の登録出願時には、すでに我が国において広く知られ周知著名に至っていたものというのが相当である。
　そこで、本件商標をみると、本件商標は「スポーツセッション」と「ＳＰＯＲＴＳ　ＳＥＳＳＩＯＮ」の文字よりなるところ、「スポーツ」、「ＳＰＯＲＴＳ」の文字部分は、その指定商品との関係において、「スポーツ用若しくはスポーツに適した商品」を認識、理解させる場合も少なくないことを考慮すれば、本件商標は「セッション」、「ＳＥＳＳＩＯＮ」の文字に特に着目されるものというのが相当である。　　
　しかして、前記した「セッション」、「ＳＥＳＳＩＯＮ」の文字部分と請求人の引用する商標「セッションズ」、「ＳＥＳＳＩＯＮＳ」とは語尾における「ズ」、「Ｓ」の文字の有無にすぎないものである。また、両者より生ずる称呼「セッション」と「セッションズ」とは、語尾における「ズ」の音の有無の差異があるにすぎず、両者は相紛れるおそれのあるものというのが相当である。
　してみると、本件商標の指定商品と請求人の使用する商品とが同一若しくは密接な関係にあることを考慮すれば、本件商標がその指定商品に使用される場合は、その構成中の「セッション」、「ＳＥＳＳＩＯＮ」の文字部分に着目されること前記のとおりであるから、これに接する需要者、取引者は、請求人の引用商標「セッションズ」、「ＳＥＳＳＩＯＮＳ」を含む商標と認識、理解し請求人の業務に係る商品若しくは請求人と経済的又は組織的に何等かの関係がある者の業務に係る商品であると誤認し、商品の出所について混同を生ずるおそれがあるものと判断するのが相当である。
　したがって、本件商標は、その余の無効事由について判断するまでもなく商標法第４条第１項第１５号に違反して登録されたものであるから、商標法第４６条第１項第１号の規定により、その登録を無効とすべきものとする。　　　　　　　
　よって、結論のとおり審決する。